(57)【特許請求の範囲】
【請求項１】
前面に開口した外箱内に収納体が収納され、収納体をリンク機構を介して回動することで外箱内から前下方に引き下ろし自在とし、リンク機構は、一端部を外箱の側面部側に回転自在に軸支すると共に他端部を収納体の側面部に回転自在に軸支した前リンクと後リンクとよりなる平行リンクにより構成され、前リンク及び後リンクの下端部に取り付けた軸を外箱の側面部にそれぞれ回転自在に支持すると共に、前リンク及び後リンクの上端部に設けた軸支板に収納体を取り付けるようにした昇降収納装置であって、外箱の側面部に取付基板を取り付け、この取付基板に絞り部を形成し、絞り部にバーリング加工を施して孔部を形成し、この孔部にリンク機構が取り付けられるユニット取付板を固定してなることを特徴とする昇降収納装置。
【発明の詳細な説明】
【０００１】
【発明の属する技術分野】
本発明は、昇降収納装置に関するものである。
【０００２】
【従来の技術】
従来より、図１１、図１５、図１６に示すように、前面に開口した外箱２内に収納体６が収納され、外箱２の前面に回転自在に扉３が設けられ、扉３の蝶番４が外箱２の側面部２ａの上下両側にそれぞれ取り付けられており、扉３を開いて収納体６をリンク機構５を介して回動することで外箱２内から前下方に引き下ろし自在とした昇降収納装置１が知られている。上記リンク機構５は、一端部を外箱２の側面部２ａ側に回転自在に軸支すると共に他端部を収納体６の側面部２ａに回転自在に軸支した前リンク７と後リンク８とよりなる平行リンクで構成してあり、図１２〜図１４に示すように、前リンク７及び後リンク８の各上端部７ａ，８ａに設けた軸支板２３に収納体６を取り付けている。前リンク７の下端部７ｂの軸９には渦巻きバネ１１（図１１）が取り付けられ、後リンク８の下端部８ｂの軸にはオイルダンパー９０が取り付けられ、これら渦巻きバネ１１、オイルダンパー９０が収納体６を外箱２から前下方に回動して引き下ろす際に抵抗となるものである。
【０００３】
【発明が解決しようとする課題】
ところが、従来では、前リンク７及び後リンク８の各上端部に設けた軸支板２３に収納体６を取り付けるにあたって、前リンク７及び後リンク８を外箱２内に収納して、収納体６を手で支えながら、前リンク７と後リンク８に取り付けた軸支板２３に収納体６の側板２１をネジ具で固着する作業を行っているが、収納体６を手で持って外箱２内に入れるときや、収納体６をネジ具で固着する際に、収納体６が外箱２の側面部２ａの内面に当って傷が付きやすい。特に外箱２は樹脂成形品で形成されているため強度的にも弱い。このため外箱２の側面部２ａの内面に傷が付くと、収納体６を外箱２内から引き下ろしたときに傷が見えてしまい、外箱２の外観が損なわれるという問題がある。
【０００４】
本発明は、上記従来の課題に鑑みてなされたもので、その目的とするところは、収納体を外箱内に組み込む際に、収納体が外箱の側面部の内面に当って傷が付くのを防止できるようにした昇降収納装置を提供するにあり、他の目的とするところは、簡単な構造で取付基板とユニット取付板とを容易に固着できるようにした昇降収納装置を提供するにある。
【０００５】
【課題を解決するための手段】
上記課題を解決するために、本発明は、前面に開口した外箱２内に収納体６が収納され、収納体６をリンク機構５を介して回動することで外箱２内から前下方に引き下ろし自在とし、リンク機構５は、一端部を外箱２の側面部２ａ側に回転自在に軸支すると共に他端部を収納体６の側面部２ａに回転自在に軸支した前リンク７と後リンク８とよりなる平行リンクにより構成され、前リンク７及び後リンク８の下端部に取り付けた軸９，１０を外箱２の側面部２ａにそれぞれ回転自在に支持すると共に、前リンク７及び後リンク８の上端部に設けた軸支板２３に収納体６を取り付けるようにした昇降収納装置であって、外箱２の側面部２ａに取付基板２４を取り付け、この取付基板２４にリンク機構５が取り付けられるユニット取付板２５を固定してなることを特徴としており、このように構成することで、前リンク７及び後リンク８の各上端部に設けた軸支板２３に収納体６を取り付けるにあたって、仮りに収納体６を手で持って外箱２内に入れるときや、収納体６をネジ具で固着する際に、収納体６が外箱２の側面部２ａの内面に当ったり、擦れたりしたりした場合でも、外箱２の側面部２ａの内面には取付基板２４が取り付けられているので、外箱２の表面に傷が付くのを防止できる。
【０００６】
また上記取付基板２４に絞り部２６を形成し、絞り部２６にバーリング加工を施して孔部２７を形成し、この孔部２７にユニット取付板２５を固定したので、取付基板２４の孔部２７とユニット取付板２５の孔部２７とを絞り部２６を介して容易に突き合わせてネジ具で固着できる。
【０００７】
【発明の実施の形態】
以下、本発明の実施の形態を説明する。
【０００８】
本例の昇降収納装置１は、図１〜図３に示すように、前面が開口した外箱２と、外箱２の側面部２ａに上下の蝶番４を介して回転自在に取り付けられた扉３と、外箱２内に収納される収納体６と、収納体６を外箱２に対して回転自在に軸支して収納体６を前下方に引き下ろし自在とするリンク機構５と、収納体６を外箱２から前下方に回動して引き下ろす際に抵抗となる渦巻きバネ１１と、ガススプリング２１等のダンパー装置１２とで主体が構成されている。
【０００９】
上記外箱２は天袋のようなもので、壁の上部や天井の下面部のような部屋の高所に取り付けられるものである。外箱２は前面が開口しており、該前面開口部に回転自在に扉３が設けられている。本例では図１に示すように、扉３の上側の蝶番４と下側の蝶番４とが外箱２の側面部２ａの前端部寄りの上下両側に取着されている。外箱２内には収納体６が配置されており、扉３を開いて収納体６をリンク機構５を介して回動することで外箱２内から前下方に引き下ろし自在となっている。
【００１０】
収納体６は、図４（ｂ）に示すように、対向する左右の側板２１間に、底部及び背部を有する板体２２を架設して取り付けたもので、前方と上方とが開口している。収納の側板２１の外面上部に、上記前リンク７及び後リンク８の各上端部に取り付けた軸支板２３が固着されている。
【００１１】
上記外箱２の側面部２ａの内面下部には取付基板２４が取り付けられている。この取付基板２４は、図５及び図６に示すように略三角板状に形成され、この取付基板２４の内面にリンク機構５及び軸支ブロック１７が取り付けられるユニット取付板２５が固着されている。取付基板２４は収納体６を外箱２内に組み込む際に、収納体６が外箱２の側面部２ａに当たって傷が付くのを防止する働きをする。また本例の取付基板２４には絞り部２６が形成され、この絞り部２６にバーリング加工を施して孔部２７が形成されており、この孔部２７にてユニット取付板２５と取付基板２４とがねじ固定されている。絞り部２６を設けることによって、取付基板２４或いはユニット取付板２５に例えば製造上の歪み等が生じている場合であっても、取付基板２４の孔部２７とユニット取付板２５の孔部２７とを突き合わせることができ、ねじ具２８を用いて容易に固着できるようになっている。なお取付基板２４の材料は、収納体６が当たっても容易に傷が付かない材料、例えばアルミニウムなどの金属材料が望ましい。もちろん、金属材料に限定されるものではない。
【００１２】
リンク機構５は、図１〜図５に示すように、前リンク７と後リンク８とよりなる平行リンクにより構成してある。前リンク７及び後リンク８の各上端部７ａ，８ａは軸支板２３に回転自在に軸支されており、この軸支板２３は収納体６の側板２１に対して固定されている。また、前リンク７及び後リンク８の下端部７ｂ，８ｂに取り付けられた各軸９，１０は、軸支ブロック１７に回転自在に軸支されており、軸支ブロック１７は外箱２の側面部２ａの内面にねじ具で固定された上記ユニット取付板２５に取り付けられている。本例では、前リンク７の下端部７ｂ側にはへ字状に屈曲したへ字状屈曲部７ｄが形成されており、収納体６を最も引き下ろしたときに、へ字状屈曲部７ｄの内隅部が外箱２の底面側の先端に対向するようにしてある。また後リンク８の下端部８ｂ側には上記前リンク７のへ字状屈曲部７ｄと同じ方向に向かってへ字状に屈曲したへ字状屈曲部８ｄが形成されている。これら屈曲部７ｄ，８ｄによって、収納体６を最も引き下ろしたときに前リンク７と後リンク８との間に隙間Ｅ（図２）が形成され、前リンク７と後リンク８間で指を詰めるのを防止できると共に、前リンク７と後リンク８とが直線状である場合よりも、収納体６の引き下ろし位置を低くできるようになっている。さらに前リンク７及び後リンク８は互いに平行な異なる垂直面内でそれぞれ回動するように横方向にずらして配置されていると共に、図７に示すように、収納体６を外箱２内から前下方に最も引き下ろした状態では、前リンク７或いは後リンク８が収納体６以外の部位に設けたストッパー（図示せず）に当たって、前リンク７の上端部７ａが後リンク８の下端部８ｂ（図３）よりも下方に位置した状態で保持できるように構成されている。
【００１３】
上記前リンク７の下端部７ｂに取り付けられた軸９には、従来のように渦巻きバネ等の機構は設けられておらず、軸支ブロック１７に対してフリーな状態で軸支されている。前リンク７の下端部７ｂの枢支部分９ａは、図３に示すように、扉３の下側の蝶番４の取り付け部分の後端４ａよりも後方に位置しており、これにより前リンク７の下端部７ｂの枢支部分９ａによって扉３の下側の蝶番４の取り付け位置が高くなったり、外箱２の下部に照明器具が組み込まれている場合でも、扉３の下側の蝶番４の取り付け位置が高くなったりするのを防止できる構造となっている。
【００１４】
後リンク８の下端部８ｂに取り付けた軸１０には、図２に示すように、収納体６を外箱２から前下方に回動して引き下ろす際に抵抗となる２つの渦巻きバネ１１，１５が設けられている。ここでは後リンク８の軸１０をＣリングで抜け止めし、軸１０の先端側に渦巻きバネ１１，１５が設けられている。２つの渦巻きバネ１１，１５は後リンク８の軸１０の長さ方向（図２の紙面に対して垂直方向）に並べて配置されており、いずれも収納体６を外箱２内から前下方に引き下ろす際に抵抗となるようにバネ力を作用するものである。２つの渦巻きバネ１１，１５は外箱２の側面部２ａとリンク機構５との間に配置された軸支ブロック１７内に収納されていると共に、この軸支ブロック１７に前リンク７及び後リンク８の下端部７ｂ，８ｂの軸９，１０を軸支するための軸受部１８，１９（図５）がそれぞれ設けられている。これにより軸支ブロック１７の軸受部１８，１９を前リンク７と後リンク８の枢支部分９ａ，１０ａに接近させることができる。ちなみに、前リンク７と後リンク８の枢支部分９ａ，１０ａと軸受部１８，１９との間の距離が長いと、軸９，１０に対して大きなモーメント荷重がかかり、収納体６の回動動作に支障をきたすこととなる。そこで本例では、渦巻きバネ１１を収納する軸支ブロック１７の外側面を台座として使用し、この台座に前リンク７と後リンク８の軸９，１０を支持する軸受部１８，１９を設けることによって、軸受部１８，１９をリンク７，８の枢支部分９ａ，１０ａに近づけることができ、従って、リンク７，８の軸９，１０に対して大きなモーメント荷重がかかるのを防止できるようになっている。
【００１５】
また、図２に示す例では一方の渦巻きバネ１１の一端部が軸支ブロック１７内に設けたバネ係止部２８に係止されており、他端部が後リンク８の軸１０に対して固定されており、これにより一方の渦巻きバネ１１は後リンク８の軸１０に対して常時バネ力を付与している。これに対して、他方の渦巻きバネ１５の一端部は後リンク８の軸１０の先端部に設けた割り溝部３０に係止され、他端部はバネ力調整装置１４にて支持されている。このバネ力調整装置１４は、他方の渦巻きバネ１５の他端を外箱２に対してフリーな状態と外箱２に固定した状態とに切替えるための操作手段１６と、操作手段１６により回動するフック部３１付き回動アーム３２と、回動アーム３２のフック部３１に着脱自在に係止される係止手段３３とを備えている。
【００１６】
上記操作手段１６は、軸支ブロック１７の外部に配置された操作部３４にロッド３５が取り付けられており、このロッド３５が軸支ブロック１７の孔部にスライド自在に挿入されていると共に、ロッド３５に装着した復帰バネ３６によって操作部３４は常に前方に向かってバネ付勢されている。また軸支ブロック１７内部には、ロッド３５によって回転する回動アーム３２と、回動アーム３２のフック部３１に対して着脱自在に係止されるラッチ部３７とがそれぞれ設けられている。図中の８０はラッチ取り付け部である。回動アーム３２は軸支ブロック１７に取り付けた回動軸３８を中心に回転自在とされていると共に、回動軸３８に設けたねじりバネ３９のバネ力によって回動アーム３２の下端部３２ｂがロッド３５の先端に向かって常にバネ付勢されている。回動アーム３２の下端部３２ｂは操作部３４のロッド３５に押されることでラッチ部３７に近づく方向に回転し、回動アーム３２の下端部３２ｂの背面に設けたフック部３１がラッチ部３７に着脱自在に係止するようになっている。
【００１７】
上記ラッチ部３１は、図８に示すように、筒形ケース４０内にスライド自在に収納されたスライダー４１の前端面に薄肉状のヒンジ部４２を介して一体に設けられている。スライダー４１は筒形ケース４０内に設けた圧縮コイルバネ４３によって筒形ケース４０の前面の開口部４４から突出する方向に向かって常にバネ付勢されている。本例では、スライダー４１とヒンジ部４２と逆Ｕ字状のラッチ部３７とが樹脂成形により一体成形されており、且つ、自然状態では図８（ａ）に示すように、ラッチ部３７の上面壁３７ａがスライダー４１の上面部に対して傾いた状態となるように成形されている。ここでは、操作部３４を押し込んでロッド３５の先端が回動アーム３２の下端部３２ｂをラッチ部３７側に矢印ハで示す方向に押したときに、回動アーム３２のフック部３１が図８（ａ）の矢印ニで示す方向に進入して略下向きの姿勢にあるラッチ部３７内に入り込んで後面壁３７ｂに当たり、これにより図８（ａ）の破線ロで示すように、ヒンジ部４２が撓んでラッチ部３７の上面壁３７ａがスライダー４１の上面部４１ａと略平行となり、この状態でスライダー４１が後方イに移動しはじめて、トーションバネ４５によりスライダー４１を後方位置で保持した状態（図８（ｂ）の状態）とその保持を解除してスライダー４１を前方に戻した状態（図８（ａ）の状態）とに切り替えることができるようになっている。これらトーションバネ４５とラッチ部３７とスライダー４１等によって係止手段３３が構成されている。
【００１８】
本例では、筒形ケース４０内のスライダー４１の側面にハート形カム溝４７が設けられており、筒形ケース４０の後壁面に取り付けられたトーションバネ４５の先端に設けられた移動体４６がハート形カム溝４７内に挿入されている。本例のハート形カム溝４７は、後側の係止溝部４８と後側のガイド溝部５０ａと前側の係止溝部４９と前側のガイド溝部５０とが連続形成されており、ガイド溝部５０，５０ａによってハート形カム溝４７はその両面で異形状となっている。前後のガイド溝部５０，５０ａはトーションバネ４５の移動体４６をハート形カム溝４７内に沿って一方向（本例では時計回り方向）に回転させるためのものであり、図８（ａ）のように移動体４６が後側の係止溝部４８に係止している状態（スライダー４１が前進位置）から、前記フック部３１にてスライダー４１が前方から押されると、移動体４６は後側のガイド溝部５０ａ内に入り込み、更に図８（ｂ）の矢印方向に向かってガイド溝部５０ａから前側の係止溝部４８へと移動する。このとき圧縮コイルバネ４３のバネ力によって移動体４６は前側の係止溝部４８に係止した状態で保持され、スライダー４１は前方に突出した位置で保持される。その後、再度スライダー４１が押されると、移動体４６は図８（ｃ）のように前側のガイド溝部５０内に入り込み、さらにこのガイド溝部５０から後側の係止溝部４９へと移動して、図８（ａ）の位置に戻る。このとき圧縮コイルバネ４３のバネ力によって移動体４６は後側の係止溝部４９に係止した状態で保持され、スライダー４１は後退位置で保持される。ここで、スライダー４１が後方位置で係止されているときには、前記のようにラッチ部３７がスライダー４１の上面部４１ａと平行に保持されるため、ラッチ部３７に対して回動アーム３２の下端部３２ｂに設けたフック部３１が係止された状態となり、スライダー４１が前方に突出した位置に保持されているときには、前記のようにラッチ部３７がスライダー４１の上面部４１ａに対して傾き、ラッチ部３７とフック部３１との係止が解除されるものである。
【００１９】
一方、回動アーム３２の上端部３２ａには、図１に示すように、片面がテーパー面５１ａとなった係止凸部５１が設けられており、この係止凸部５１が渦巻きバネ１１の他端部に屈曲形成されているく字状屈曲部５２に着脱自在となっている。ここでは、係止凸部５１がく字状屈曲部５２に対して押し付けられたとき（回動アーム３２の下端のフック部３１がラッチ部３７に係止されたとき）には、テーパー面５１ａがく字状屈曲部５２を上方に押し広げることで、係止凸部５１がく字状屈曲部５２内にはまり込み、従って、２つの渦巻きバネ１１，１５のバネ力が同時に働く。一方、係止凸部５１がく字状屈曲部５２から離れる方向に回動したとき（フック部３１とラッチ部３７との係止が解除されたとき）には、係止凸部５１によってく字状屈曲部５２が上方に押し広げられて、係止凸部５１がく字状屈曲部５２から離脱し、これにより渦巻きバネ１５はフリーな状態となり、１つの渦巻きバネ１１のバネ力のみが働くようになっている。
【００２０】
さらに、上記後リンク８の下端部８ｂには延長部８ｃが設けられており、この延長部８ｃと上記外箱２の側面部２ａに取り付けた取付基板２４との間には、収納体６を外箱２から前下方に回動して引き下ろす際に抵抗となる別のダンパー装置１２が設けられられている。この別のダンパー装置１２は、例えばガススプリング２１で構成されている。ガススプリング２１の一端は後リンク８の延長部８ｃに回転自在に取り付けられており、ガススプリング２１の他端は軸受を介して取付基板２４に回転自在に取り付けられている。ここではガススプリング２１の他端と軸受は板金により一体化されている。ガススプリング２１は、外箱２内から前下方に引き下ろす際に抵抗となるようにバネ力を作用すると共に、収納体６の重量が重いときには、渦巻きバネ１１にかかる負担を軽減して、渦巻きバネ１１の寿命低下を防止する働きをもする。なおダンパー装置１２としては、ガススプリング２１に限らず、例えばオイルダンパー等であってもよい。
【００２１】
しかして、外箱２の側面部２ａに取付基板２４を取り付け、この取付基板２４にリンク機構５が取り付けられるユニット取付板２５を固定してなることを特徴としており、このように構成することで、前リンク７及び後リンク８の各上端部に設けた軸支板２３に収納体６を取り付けるにあたって、収納体６を手で持って外箱２内に入れるときや、収納体６をネジ具で固着する際に、仮に収納体６が外箱２の側面部２ａの内面に当ったり、擦れたりしたりした場合でも、外箱２の側面部２ａの内面には取付基板２４が取り付けられているので、外箱２の表面に傷が付くのを防止できるようになる。
【００２２】
また上記取付基板２４に絞り部２６を形成し、絞り部２６にバーリング加工を施して孔部２７を形成し、この孔部２７にユニット取付板２５を固定してあるので、取付基板２４に絞り部２６を設けることによって、取付基板２４或いはユニット取付板２５のいずれかに例えば製造上の歪み等が生じている場合であっても、取付基板２４の孔部２７とユニット取付板２５の孔部２７とを絞り部２６を介して突き合わせることができ、ねじ具を用いて取付基板２４とユニット取付板２５とを容易に固着できるものである。
【００２３】
また前リンク７の下端部７ｂに取り付けた軸９，１０をフリーな状態で軸支したことによって、従来のように前リンク７の下端部７ｂの軸９に渦巻きバネ１１を取り付けた場合と異なり、渦巻きバネ１１を収納する軸支ブロック１７が外箱２の側面部２ａの前端近くに位置しなくなるため、外箱２の側面部２ａに回転自在に設けられる扉３の下側の蝶番４の取り付け部分を軸支ブロック１７の前方に位置させることができる。従って、扉３の下側の蝶番４を外箱２の側面部２ａの下端側に寄せて取り付けることが可能となるので、外箱２の上下寸法を大きくすることなく、上側の蝶番４と下側の蝶番４との距離Ｄを広げることができ、扉３の取り付けの安定性が良くなり、そのうえ下側の蝶番４の取り付け位置を統一できるので、扉の種類が増えるのを防止できるものである。
【００２４】
さらに図１０（ａ）に示すように、外箱２の下部にシンク用の照明器具１３を組み込んだ場合において、照明器具１３の高さ分だけ前リンク７の下端部７ｂの軸９の高さが高くなるが、前述のように前リンク７の軸９には渦巻きバネ等の機構が設けられず、フリーとされているので、下側の蝶番４の取り付け高さを低くできる。つまり外箱２の下部にシンク用の照明器具１３を組み込んだものと、図１０（ｂ）のように組み込まないものとの間で、外箱２の寸法の統一化及び扉３の上下の蝶番４の取り付け位置の統一化を図ることができ、低コスト化及び組み立て性が向上するという利点がある。
【００２５】
また、収納体６の重量が軽いときには、バネ力調整装置１４によってバネ力を弱めることができる。先ず操作部３４を押し込むと、ロッド３５が前進して回動アーム３２の下端部３２ｂに設けたフック部３１が下向き姿勢にあるラッチ部３７内に挿入され、ラッチ部３７の後面壁３７ｂを後方に押すことで、ラッチ部３７が図８（ａ）の破線ロで示すように変形した状態となり、スライダー４１が後方イに移動してトーションバネ４５により後退位置で保持される。これにより、回動アーム３２の上端部３２ａの係止凸部５１が渦巻きバネ１５のく字状屈曲部５２から外れて、渦巻きバネ１５がフリーな状態となり、渦巻きバネ１１のバネ力のみが収納体６に作用し、バネ力を弱めることができ、軽量時にも収納体６を最下点まで容易に引き下ろすことができる。逆に、収納体６の重量が重いときには、バネ力調整装置１４によってバネ力を強めることができる。操作部３４を再度押し込むと、ロッド３５が前進して回動アーム３２の下端部３２ｂに設けたフック部３１が下向き姿勢にあるラッチ部３７内に挿入され、ラッチ部３７の後面壁３７ｂを後方に押すことで、ラッチ部３７が再び図８（ａ）の破線ロで示すように変形した状態となり、スライダー４１が後方イに移動する。このとき移動体４６は前側の係止溝部４９からガイド溝部５０に導入される。従って、スライダー４１を前方から押すだけでトーションバネ４５の移動体４６を前側の係止溝部４９から後側の係止溝部４８へと移動でき、ラッチ部３７が下向き姿勢となって回動アーム３２のフック部３１が外れる。このとき、ねじりバネ３９のバネ力によって回動アーム３２の上端部３２ａの係止凸部５１が渦巻きバネ１５のく字状屈曲部５２に係止して、渦巻きバネ１１，１５の両方のバネ力が収納体６に作用するようになり、バネ力を強めることができる。
【００２６】
従って、収納体６の軽量時には、最下点まで収納体６を容易に引き下ろすことができ、重量荷重時にはバネ力調整装置１４の切換により荷重以下の力で引き上げ操作ができ、操作性がきわめて良くなる。またバネ力調整装置１４をリンク機構５と一体に構成でき、部品点数を削減できると共に、操作部３４の押し込み操作だけでバネ力を調整できるので、誤操作しても破損する心配がなく、そのうえバネ力調整装置１４の本体部分は軸支ブロック１７内に収納されているので外観も良好となる。
【００２７】
図９は他の実施形態を示している。本例では、１つの渦巻きバネ１１を設け、渦巻きバネ１１の一端を後リンク８の軸１０に係止させると共に他端をバネ力調整装置１４を介して外箱２側に接続した構造を示している。他の構成は図１と同様であり、異なる点だけを述べる。本例のバネ力調整装置１４は、軸支ブロック１７の外部に配置される操作部３４と、操作部３４に取り付けられて軸支ブロック１７の雌ネジ部１７ａを貫通して軸支ブロック１７内部に螺入される雄ネジ部６０ａを有する軸部６０と、軸部６０の先端に設けられて渦巻きバネ１１の他端部のく字状屈曲部５２に嵌合する嵌合部６１とを備えている。操作部６０を時計回り方向に回転させると、軸部６０の雄ネジ部６０ａが雌ネジ部１７ａにネジ込まれて前進して嵌合部６１が渦巻きバネ１１のく字状屈曲部５２を押圧することにより、渦巻きバネ１１が締め付けられて収納体６に作用するバネ力が大きくなり、操作部３４を逆回転させると、軸部６０が戻って渦巻きバネ１１のく字状屈曲部５２が戻り、渦巻きバネ１１が緩んで収納体６に作用するバネ力が小さくなり、渦巻きバネ１１のバネ力を容易に調整することができる。
【００２８】
【発明の効果】
上記のように本発明のうち請求項１の発明は、前面に開口した外箱内に収納体が収納され、収納体をリンク機構を介して回動することで外箱内から前下方に引き下ろし自在とし、リンク機構は、一端部を外箱の側面部側に回転自在に軸支すると共に他端部を収納体の側面部に回転自在に軸支した前リンクと後リンクとよりなる平行リンクにより構成され、前リンク及び後リンクの下端部に取り付けた軸を外箱の側面部にそれぞれ回転自在に支持すると共に、前リンク及び後リンクの上端部に設けた軸支板に収納体を取り付けるようにした昇降収納装置であって、外箱の側面部に取付基板を取り付け、この取付基板にリンク機構が取り付けられるユニット取付板を固定してなるので、前リンク及び後リンクの各上端部に設けた軸支板に収納体を取り付けるにあたって、収納体を手で持って外箱内に入れるときや、収納体をネジ具で固着する際に、仮りに収納体が外箱の側面部の内面に当ったり、擦れたりしたりした場合でも、外箱の側面部の内面には取付基板が取り付けられているので、外箱の側面部の内面に傷が付くのを未然に防止でき、外箱の外観を良好に保つことができる。
【００２９】
また請求項１記載の発明は、取付基板に絞り部を形成し、絞り部にバーリング加工を施して孔部を形成し、この孔部にユニット取付板を固定してなるので、取付基板の孔部とユニット取付板の孔部とを絞り部を介して容易に突き合わせることができるようになるので、取付基板の固着作業が容易となる。
【図面の簡単な説明】
【図１】本発明の実施形態の一例を示す側面図である。
【図２】図１の要部拡大図である。
【図３】同上のリンク機構を説明する側面図である。
【図４】（ａ）は収納体を収納しない状態の昇降収納装置の正面図、（ｂ）は収納体を収納した状態の昇降収納装置の正面図である。
【図５】同上の軸支ブロック付近の正面図である。
【図６】（ａ）は同上の取付基板の正面図、（ｂ）は側面図である。
【図７】同上の収納体を最も前下方に引き下ろした状態の説明図である。
【図８】（ａ）〜（ｃ）は同上の係止手段の動作説明図である。
【図９】他の実施形態の一部破断した側面図である。
【図１０】（ａ）は照明器具付き外箱の側面図、（ｂ）は照明器具のない外箱の側面図である。
【図１１】従来の渦巻きバネを収納する軸支ブロックの説明図である。
【図１２】図１１の正面図である。
【図１３】図１１の平面図である。
【図１４】従来の収納体を説明する側面図である。
【図１５】従来の昇降収納装置の平面図である。
【図１６】従来の昇降収納装置の正面図である。
【符号の説明】
１  昇降収納装置
２  外箱
２ａ  側面部
５  リンク機構
６  収納体
７  前リンク
８  後リンク
９，１０  軸
２３  軸支板
２４  取付基板
２５  ユニット取付板
２６  絞り部
２７  孔部
【図１】
0003584780.tif 000002
【図２】
0003584780.tif 000003
【図３】
0003584780.tif 000004
【図４】
0003584780.tif 000005
【図５】
0003584780.tif 000006
【図６】
0003584780.tif 000007
【図７】
0003584780.tif 000008
【図８】
0003584780.tif 000009
【図９】
0003584780.tif 000010
【図１０】
0003584780.tif 000011
【図１１】
0003584780.tif 000012
【図１２】
0003584780.tif 000013
【図１３】
0003584780.tif 000014
【図１４】
0003584780.tif 000015
【図１５】
0003584780.tif 000016
【図１６】
0003584780.tif 000017